(57)【要約】【課題】  結んだネクタイを首回りの背部で装脱できる連結部材にて、容易に正確な位置で装着でき、容易に外せるようにした。【解決手段】  雌雄の連結片２，３にて大剣部Ａａと小剣部Ａｂに分割したネクタイを、その略中央部で装脱可能とし、雌雄の連結片２，３には大剣部または小剣部のネクタイ生地と接続される連結布片の挿通用のスリット２２、３２を一端に備え、その後方に鍔片２１，３１を延設すると共に、他端に夫々係合面２０，３０が設けられ、雄の連結片２の係合面２０に磁石２３からなる係合段部２４を形成し、対向する雌の連結片３の係合面３０に磁性体層を有する係合凹部３４を形成した。また、雄の連結片２の係合面２０には磁石２３の上下位置に係合ピン２５を立設し、対向する雌の連結片３の係合面３０には係合凹部３４の上下に係合ピン２５が嵌入する受孔３５を穿設した。【選択図】  図４
2007031861.tif 000002
【特許請求の範囲】
【請求項１】
雌雄の連結片にて大剣部と小剣部に分割したネクタイを、その略中央部で装脱可能としたネクタイであって、雌雄の連結片には大剣部又は小剣部のネクタイ生地と接続される連結布片挿通用のスリットを一端に備え、その後方に巾広の鍔片を延設すると供に、他端には夫々係合面が設けられ、雄連結片の係合面に磁石からなる係合段部を形成し、対向する雌連結片の係合面に磁性体からなる係合凹部を形成した首回りの連結部材を有するネクタイ。
【請求項２】
雄連結片の係合面の中央部に、磁石を接着して係合段部を形成すると共に、該係合段部の上下位置に係合ピンを立設し、対向する雌連結片の中央部には、前記磁石が吸着して嵌入する磁性体からなる係合凹部を形成すると共に、該係合凹部の上下位置に前記雄連結片に立設した係合ピンが嵌入する受穴を穿設してなる請求項１に記載の首回りの連結部材を有するネクタイ。
【請求項３】
前記雌雄の連結片の鍔部は、夫々の係合面とは反対方向に延設されていることを特徴とする請求項１に記載の首回りの連結部材を有するネクタイ。
【発明の詳細な説明】
【技術分野】
【０００１】
本発明は、雌雄の連結片にて大剣部と小剣部に分割されたネクタイを、その中央部分で装脱可能とした連結部材を有するネクタイに関する。
【背景技術】
【０００２】
ネクタイを大剣部と小剣部の略中央部分で切断し、夫々の切断端部に連結部材を取り付けて装脱自在としたネクタイは、例えば特許文献１乃至３のように知られている。
【０００３】
しかし、これらの場合、実際に首回りに装着されたネクタイを外す際には容易であるものの、装着する時には首回りの背部で指先だけの感覚で雌雄の連結部材を正確に連結するのは難しい。特に、前記特許文献１及び２のように連結部材が面ファスナーであると、雌雄の連結部材を正確な位置に接合することは困難であり、連結部がずれてしまう欠点がある。しかも、面ファスナーでは一旦接合すると接合位置がずれていても、連結作業中にそのズレを直すことは不可能で、連結位置の修正はできない。従って、ずれて雌雄の面ファスナーが装着されると首回りが不体裁で、且つ着用者に違和感を与え好ましくない。
【０００４】
また、特許文献３のように弾発性を有する狭持部材と、これに係合される扁平な係合ピンを備えた雌雄の係脱具にて装脱可能としたものもあるが、狭持部材に扁平なピンを係合し、爪で保持する構造であるため、装着したとき首回りが嵩張り、不体裁であると共に着用感を損ねるものである。また、狭持部材に偏平ピンを差し込む必要があるため、首回りの背部で後ろ手による装着が円滑に行いにくい欠点がある。
【特許文献１】特許第３０７５２７９号公報
【特許文献２】特開平１１−３１５４０８号公報
【特許文献３】実公平３−２４５６９号公報
【発明の開示】
【発明が解決しようとする課題】
【０００５】
本発明は首回り背部で後ろ手によるネクタイの装脱が容易で、装着の際に雌雄の連結部材が正確な位置にて容易に連結され、着用に際して体裁がよく、しかも容易に脱落しない連結部材を有するネクタイを提供するものである。
【課題を解決するための手段】
【０００６】
本発明の首回りの連結部材を有するネクタイは、雌雄の連結片にて大剣部と小剣部に分割したネクタイを、その略中央部で装脱可能としたネクタイであって、雌雄の連結片には大剣部又は小剣部のネクタイ生地と接続される連結布片挿通用のスリットを一端に備え、その後方に巾広の鍔片を延設すると供に、他端には夫々係合面が設けられ、雄連結片の係合面に磁石からなる係合段部を形成し、対向する雌連結片の係合面に磁性体からなる係合凹部を形成したことを特徴とする。
【０００７】
また、雄連結片の係合面の中央部に、磁石を接着して係合段部を形成すると共に、該係合段部の上下位置に係合ピンを立設し、対向する雌連結片の中央部には、前記磁石が吸着して嵌入する磁性体からなる係合凹部を形成すると共に、該係合凹部の上下位置に前記雄連結片に立設した係合ピンが嵌入する受穴を穿設するようにした。
【０００８】
また、前記雌雄の連結片の鍔部は、夫々の係合面とは反対方向に延設されるようにした。
【発明の効果】
【０００９】
本発明のネクタイによれば、雌雄の連結片の一端に、切断したネクタイの大剣部及び小剣部を接続し、雄の連結片の係合面には磁石の係合段部を立設し、対向する雌の連結片の係合面には磁性体からなる係合凹部を形成したことで、雌雄の連結片が対向したとき、磁石の係合段部が磁性体の係合凹部に瞬時に嵌入して、雌雄の連結片は容易に接合される。
従って、首回りの背部で、後ろ手でネクタイを装脱する際に、連結片同士の位置合わせをする必要が無く、簡単に装脱が可能となる。また、連結片の一端には巾広の鍔部が延設されているため、この鍔部を摘むことで容易に装脱できる。しかも、連結片同志は偏平で嵩張らないため、ワイシャツの襟回りに装着した際にも体裁がよく、装着感がよい。従って、夏場などで、ネクタイの装脱を繰り返す必要がある場合には極めて都合が良い。
【発明を実施するための最良の形態】
【００１０】
以下、本発明の実施の形態について図面を参照しながら説明する。
図１は、本発明の実施例に係る首回りの連結部材を有するネクタイの全体を示す斜視図、図２は、このネクタイを結んだ後、首回りの連結部材を外した状態の説明図である。図３は本発明の連結部材の斜視図であって、ネクタイＡは一般の形状のもので、大剣部Ａａと小剣部Ａｂを有し、大剣部Ａａと小剣部Ａｂの略中間部分で切断され、切断された夫々の端面に雌雄の連結部材１が取り付けられている。
【００１１】
この連結部材１は、図３、図４に示すように、互いに対称形状を示す雌雄の連結片２，３により構成される。更に、雌雄の連結片２，３の一端には、平坦な係合面２０，３０を形成すると共に、他端は外方に延設する鍔片２１、３１が形成され、係合面２０、３０と鍔片２１、３１の間には長溝状のスリット２２，３２が形成されて、雌雄の連結片２，３は係合面２０，３０に対向して対称形状に形成されている。ここで、連結片２は雄の連結片を、連結片３は雌の連結片を示す。
【００１２】
また、雌雄の連結片２，３のスリット２２，３２には図４及び図５に示すように、大剣部Ａａと小剣部Ａｂに切断されたネクタイＡの切断端を連結片２，３に取り付けるための連結布片Ｂが挿通される。該連結布片Ｂは、該スリット２２，３２部で折り返され、連結布片Ｂ端は切断された大剣部Ａａ、小剣部Ａｂの袋状の生地中に挿入され、切断された端面Ａｃを適宜縫着されて大剣部Ａａと小剣部Ａｂに夫々連結片２，３が取り付けられる。
【００１３】
また、雄の連結片２の係合面２０には略中央部分に平板状の磁石２３が突設され、磁石２３の厚みを以って係合段部２４を形成している。また、該連結片２に対向する雌の連結片３の係合面３０には、前記雄の連結片２の係合段部２４が嵌入する係合凹部３４が形成され、該係合凹部３４の底面には、雄の連結片２の磁石２３が吸着可能な金属からなる磁性体層３３が形成されている。
【００１４】
雌雄の連結片２，３は上述のように形成されており、連結片２と連結片３の係合面２０、３０を対向させようと接近させると雄の連結片２の磁石２３が、雌の連結片３の係合凹部３４の底面に配設した磁性体層３３と吸着し、吸着力で磁石２３の係合段部２４が係合凹部３４内に嵌入し、雌雄の連結片２，３は瞬時にごく自然に固定される。
【００１５】
即ち、連結片２，３の係合段部２４と係合凹部３４を正確に位置合わせして嵌合させるまでもなく、ただ連結片２，３を対向させるだけで磁石２３の吸着力にて瞬時に係合凹部３４内に係合段部２４が嵌入するため、首回りの背部でネクタイを装着する場合に簡単で、且つ装着箇所がずれずに正確な位置で連結することが出来る。
【００１６】
しかも、係合凹部３４内に係合段部２４が嵌入することで、横方向、即ち、着用者の首回り方向への引張り力に強固に対抗し得、着用中にネクタイを引っ張ても係合面がずれたり、外れることが無い。
【００１７】
また、逆にネクタイを外す場合は、首回りの背部で雌雄の連結片２，３を、その鍔部２１，３１を把持して上下方向に引き離すだけで、磁石２３の吸着はとけて係合段部２４は係合凹部３４から離脱し、容易にネクタイを外すことが出来る。
【００１８】
図５は雌雄の連結片２，３と分割したネクタイの大剣部Ａａ、小剣部Ａｂの取付け状態を示す。図６は、連結片２と連結片３が対抗する係合面２０、３０にて係合している状態の拡大した断面図である。
【００１９】
尚、図７は他の実施例を示すもので、雄の連結片２の係合面２０の係合段部２４の上下位置にピン２５，２５を突設し、対向する雌の連結片３の係合面３０には、ピン２５に対応する位置にピン受孔３５，３５を係合凹部３４の上下位置に形成している。
【００２０】
これにより、雄の連結片２の磁石２３の吸着力にて瞬時に係合段部２４が係合凹部３４内に嵌入すると共に、ピン２５，２５も他方の雌の連結片３のピン受孔３５，３５中に嵌入し、係合を確実なものとしている。特に、ネクタイＡを首回りに装着した場合に雌雄の連結片２，３同志の係合を確実とし、離脱しないようにしている。  図８は図７の実施例で示す雌雄の連結片２，３の係合状態の拡大した縦断面図である。
【００２１】
図９は更に他の実施例を示すもので、連結部材１を構成する雌雄の連結片２、３自体を細巾に形成すると共に、鍔部２１０，３１０を長手方向、つまり大剣部Ａａと小剣部Ａｂが接合された場合のネクタイの長さ方向に延出するように形成されている。雌雄の連結片２，３を細巾にすることでネクタイを装着したときにワイシャツの襟の中に挿通し易く、且つ襟の中からはみ出ないようにし体裁を良くしている。  又、延設した鍔片２１０，３１０は、雌雄の連結片２，３を装脱する際に、後ろ手にて指先により摘み易く、装脱を容易にしている。その他の構成は前述の実施例と同様であるため、同一符号を付して重複した説明は省略する。
【図面の簡単な説明】
【００２２】
【図１】本発明の実施例に係る連結部材を有するネクタイの全体を示す斜視図である。
【図２】図１のネクタイを結んで、首回りの背部で連結部材を分離した状態を示す斜視図である。
【図３】連結部材が係合された状態を示す斜視図である。
【図４】図３の雌雄の連結部材を分離した平面図で、雄の連結片と雌の連結片を示す。
【図５】図４の連結片の概略断面図で、雄の連結片がネクタイの切断端面に縫着された状態、及び雌の連結片が他方のネクタイの切断端面に縫着された状態を示す。
【図６】図４の雌雄の連結片が係合した状態を示す断面図である。
【図７】他の実施例を示す雌雄の連結片の分離した平面図である。
【図８】図７の実施例に示す雌雄の連結片が係合した状態を示す縦断面図である。
【図９】他の実施例を示す雌雄の連結片の分離した平面図である。
【符号の説明】
【００２３】
１      連結部材
２      雄の連結片
３      雌の連結片
２０、３０    係合面
２１、３１、２１０、３１０      鍔片
２２、３２      スリット
２３    磁石
２４    係合段部
２５    係合ピン
３３    磁性体層
３４    係合凹部
３５    ピン受孔
Ａ      ネクタイ
Ａａ    大剣部
Ａｂ    小剣部
Ａｃ    切断端面
Ｂ      連結布片
【図１】
2007031861.tif 000003
【図２】
2007031861.tif 000004
【図３】
2007031861.tif 000005
【図４】
2007031861.tif 000006
【図５】
2007031861.tif 000007
【図６】
2007031861.tif 000008
【図７】
2007031861.tif 000009
【図８】
2007031861.tif 000010
【図９】
2007031861.tif 000011